(57)【特許請求の範囲】
【請求項１】
遊技に供する球を貯留可能な球貯留部を有する本体枠と、該本体枠を開閉可能に軸着するとともに略矩形状に形成される機枠と、を備えた遊技機において、
前記本体枠の裏側には、前記球貯留部を配設すると共に、該球貯留部よりも下方に遊技を行うための電子機器を配設し、
前記機枠の上横枠部材の裏側には、前記球貯留部と前記機枠の縦枠部材との間の空間に出没可能な球落下阻止部材を配設したことを特徴とする遊技機。
【請求項２】
前記機枠の上横枠部材の一部には、前記球貯留部の配設位置に対応して前記機枠と球補給機の部品との干渉を回避するための切欠き部を形成し、
前記機枠の上横枠部材は、前記切欠き部の一方の端部に対応して裏側に前記球落下阻止部材に対応する形状の開口部を有する収納空間部を備え、
前記球落下阻止部材は、前記開口部から前記収納空間部に出没可能に取り付けられていることを特徴とする請求項１に記載の遊技機。
【請求項３】
前記球落下阻止部材は、前記収納空間部から出現した状態で前記球貯留部側に向かって下り傾斜する傾斜部を有することを特徴とする請求項２に記載の遊技機。
【請求項４】
前記機枠の上横枠部材には、位置決め手段を備え当該遊技機を設置する島設備に前記機枠を固定するための固定具が取り付け可能に構成され、
前記球落下阻止部材には、前記固定具の取り付け位置に対応する部位に前記位置決め手段を挿通するための長穴状の挿通孔が形成され、
該球落下阻止部材は、前記挿通孔に挿通された前記位置決め手段をガイドとしてスライド可能であることを特徴とする請求項１から請求項３の何れかに記載の遊技機。
【請求項５】
前記機枠の上横枠部材は前記球落下阻止部材を止着部材によって島設備の桟木に固定するための固定部を有し、
前記球落下阻止部材には前記固定部と対応する部位に長穴状の挿通孔が形成され、該長穴状の挿通孔が前記止着部材をガイドとしてスライドするように構成したことを特徴とする請求項１から請求項３の何れかに記載の遊技機。
【発明の詳細な説明】
【技術分野】
【０００１】
本発明は、遊技に供する球を貯留可能な球貯留部を有する本体枠と該本体枠を開閉可能に軸着するとともに略矩形状に形成される機枠とを備えた遊技機に関し、特に異なる機種や異なる製造メーカの遊技機間で機枠を共通化する技術に関する。
【背景技術】
【０００２】
遊技媒体として球を使用して遊技を行う遊技機、例えばパチンコ遊技機の外枠（機枠）は、板部材を組み合わせて略矩形状に形成されている。この外枠に対して内枠を開閉可能に取り付け、この内枠に当該パチンコ遊技機の遊技領域が形成される遊技盤や遊技を実行するための電子機器等が取り付けられるように構成されている。
【０００３】
また、内枠には、球を一時的に貯留する球貯留タンクが、外枠の上横枠部材よりも下方に位置するように設けられており、この球貯留タンク内の貯留球が不足した場合には、当該パチンコ遊技機が取り付けられている遊技店の島設備に設けられている補給樋に接続された球補給機から球貯留タンク内に球を補給するように構成されている。
【０００４】
ところで、球貯留タンクを上部に有する遊技機の内枠は、島設備に固定された外枠に開閉可能に取り付けられるため、その開閉動作に伴って球貯留タンクが球補給機に対して接近したり離反したりすることとなる。そこで、球補給機の部品と外枠との干渉を防止しつつ球貯留タンクへの球の補給を正確かつスムーズに行うため、外枠の上横枠部材に切欠き部を形成するようにしている。外枠の上横枠部材に切欠き部を形成した遊技機は、例えば特許文献１に記載されている。
しかし、遊技機裏面上部の球貯留タンクは、パチンコ遊技機の機種が異なったり製造メーカが異なると、その形状や大きさが異なることがある。そのため、従来の遊技機においては、外枠の上横枠部材に形成される切欠き部も、球貯留タンクの大きさや取り付け位置に対応して異なる位置に設けられていた。
【先行技術文献】
【特許文献】
【０００５】
【特許文献１】特開２００４−１３５９７９号公報
【発明の概要】
【発明が解決しようとする課題】
【０００６】
ところで、近年では、異なる機種や異なる製造メーカの遊技機間で、共通の外枠を使用できるようにすることが望まれているが、上述のように異なる機種や異なる製造メーカの遊技機間では球貯留タンクの形状や大きさが異なるため、幅の狭い球貯留タンクを有する遊技機が取り付けられた際に、球貯留タンクと外枠との間の隙間が大きくなり、球補給機から球貯留タンクへ排出された球が飛び跳ねて上記隙間から流下し、内枠に設けた電子機器等に衝突し故障を引き起こす虞がある。 
【０００８】
本発明は、上記のような課題に着目してなされたもので、球貯留タンクの形状や大きさ、取り付け位置が異なる場合にも、球貯留タンクへの球補給が確実に行えるとともに、内枠に設けた電子機器等に補給球が衝突するのを防止することができる遊技機を提供することを目的とする。
【課題を解決するための手段】
【０００９】
上記目的を達成するため、請求項１に記載の発明は、
遊技に供する球を貯留可能な球貯留部を有する本体枠と、該本体枠を開閉可能に軸着するとともに略矩形状に形成される機枠と、を備えた遊技機において、
前記本体枠の裏側には、前記球貯留部を配設すると共に、該球貯留部よりも下方に遊技を行うための電子機器を配設し、
前記機枠の上横枠部材の裏側には、前記球貯留部と前記機枠の縦枠部材との間の空間に出没可能な球落下阻止部材を配設したことを特徴とする。 
【００１０】
請求項１に記載の発明によれば、遊技機の本体枠の裏側には、前記球貯留部を配設すると共に、該球貯留部よりも下方に遊技を行うための電子機器を配設し、機枠の上横枠部材の裏側には、球貯留部と機枠の縦枠部材との間の空間に出没可能な球落下阻止部材を配設しているので、比較的小さな球貯留部を有する本体枠や球貯留部の取付け位置が異なる本体枠が機枠に装着された場合にも、球落下阻止部材を引き出した状態に設定することで球貯留部へ入らずに横に跳ねた球が落下して本体枠の裏側に設けた電子機器等に衝突するのを防止することができる。 
【００１１】
請求項２に記載の発明は、請求項１に記載の遊技機において、
前記機枠の上横枠部材の一部には、前記球貯留部の配設位置に対応して前記機枠と球補給機の部品との干渉を回避するための切欠き部を形成し、
前記機枠の上横枠部材は、前記切欠き部の一方の端部に対応して裏側に前記球落下阻止部材に対応する形状の開口部を有する収納空間部を備え、
前記球落下阻止部材は、前記開口部から前記収納空間部に出没可能に取り付けられていることを特徴とする。 
【００１２】
請求項２に記載の発明によれば、遊技機の機枠の上横枠部材の一部に、球貯留部の配設位置に対応して機枠と球補給機の部品との干渉を回避するための切欠き部を形成しているので、球落下阻止部材が収納空間部に没した状態では切欠き部が広くなって大きな球貯留部を有する遊技機を機枠に取り付けることができるとともに、前記機枠の上横枠部材は、前記切欠き部の一方の端部に対応して裏側に前記球落下阻止部材に対応する形状の開口部を有する収納空間部を備え、前記球落下阻止部材は、前記開口部から前記収納空間部に出没可能に取り付けられているので、球落下阻止部材が収納空間部に突出した状態では切欠き部が狭くなって小さな球貯留部を有する遊技機を機枠に取り付けた際に球貯留部と機枠の縦枠部材との間に生じる空間を狭くして球貯留部へ入らずに横に跳ねた球が落下して内枠に設けた電子機器等に衝突するのを防止することができる。 
【００１３】
請求項３に記載の発明は、請求項２に記載の遊技機において、
前記球落下阻止部材は、前記収納空間部から出現した状態で前記球貯留部側に向かって下り傾斜する傾斜部を有することを特徴とする。 
【００１４】
請求項３に記載の発明によれば、球貯留部へ入らずに横に跳ねた球を球落下阻止部材の傾斜部によって球貯留部内へ流下させることができる。
【００１５】
請求項４に記載の発明は、請求項１から請求項３の何れかに記載の遊技機において、
前記機枠の上横枠部材には、位置決め手段を備え当該遊技機を設置する島設備に前記機枠を固定するための固定具が取り付け可能に構成され、
前記球落下阻止部材には、前記固定具の取り付け位置に対応する部位に前記位置決め手段を挿通するための長穴状の挿通孔が形成され、
該球落下阻止部材は、前記挿通孔に挿通された前記位置決め手段をガイドとしてスライド可能であることを特徴とする。
【００１６】
請求項４に記載の発明によれば、球落下阻止部材は長穴状の挿通孔を有し、該長穴状の挿通孔に挿通された固定具の位置決め手段をガイドとしてスライド可能な構成であるため、固定具の位置決め手段が、球落下阻止部材がスライドする際のガイド部材としても機能するため、位置決め手段とガイド部材を別々に設ける必要がなく、部品点数を減らすことができる。
【００１７】
請求項５に記載の発明は、請求項１から請求項３の何れかに記載の遊技機において、
前記機枠の上横枠部材は前記球落下阻止部材を止着部材によって島設備の桟木に固定するための固定部を有し、
前記球落下阻止部材には前記固定部と対応する部位に長穴状の挿通孔が形成され、該長穴状の挿通孔が前記止着部材をガイドとしてスライドするように構成したことを特徴とする。
【００１８】
請求項５に記載の発明によれば、球落下阻止部材には固定部と対応する部位に長穴状の挿通孔が形成され、該長穴状の挿通孔が止着部材をガイドとしてスライドする構成であるため、止着部材が、球落下阻止部材がスライドする際のガイド部材としても機能するので、止着部材とガイド部材を別々に設ける必要がなく、部品点数を減らすことができる。
【発明の効果】
【００１９】
本発明によれば、球貯留タンクの形状や大きさ、取り付け位置が異なる場合にも、球貯留タンクへの球補給が確実に行えるとともに、内枠に設けた電子機器等に補給球が衝突するのを防止することができるという効果がある。
【図面の簡単な説明】
【００２０】
【図１】本発明を適用した遊技機が取り付けられた遊技店の島設備の構成を示す正面図である。
【図２】遊技機を取り外した状態の島設備の構成を示す斜視図である。
【図３】遊技機の外枠の構造および固定具との関係を示す斜視図である。
【図４】外枠の固定具の詳しい構造を示す斜視図である。
【図５】外枠の固定具の詳しい構造を示す正面図および断面側面図である。
【図６】外枠の上横枠部材に設けられた切欠き部の長さ調整機構の具体例を示す斜視図である。
【図７】外枠の上横枠部材に設けられた切欠き部の長さ調整機構の具体例を示す背面図および平面断面図である。
【図８】切欠き部の長さ調整機構を構成する球落下防止部材の使用差異を示す斜視図、平面図および正面図である。
【図９】外枠に遊技機を取り付けた状態を遊技機の裏面側より見た斜視図および平面図である。
【図１０】外枠に遊技機を取り付けた状態を上方より見た平面図である。
【図１１】長さが比較的長い球貯留タンクを有する遊技機を外枠に取り付けた状態を示す平面図である。
【図１２】本発明の第２の実施形態を適用した遊技機を示すもので、（Ａ）は背部斜視図、（Ｂ）は平面図である。
【図１３】他の実施形態の遊技機における機枠としての外枠と、該外枠の前面に開閉可能に取り付けられる本体枠との関係を示す斜視図である。
【図１４】他の実施形態における外枠の詳しい構造を示す斜視図および正面図である。
【図１５】他の実施形態における外枠の詳しい構造を示す前面斜め右上から見た分解斜視図である。
【図１６】他の実施形態における外枠の詳しい構造を示す前面斜め左上から見た分解斜視図である。
【図１７】他の実施形態における外枠の左上部分の詳しい構造を示す分解斜視図である。
【図１８】他の実施形態における外枠の上部の詳しい構造を示す断面平面図である。
【図１９】他の実施形態における外枠の上部の詳しい構造を示す断面側面図である。
【図２０】他の実施形態における外枠の上部の詳しい構造を示す分解斜視図である。
【図２１】他の実施形態における外枠の組み立て方法を示すもので、ブラケットを縦枠部材（縦框）の上端に装着した状態を示す斜視図である。
【図２２】他の実施形態における外枠の組み立て方法を示すもので、上横枠部材（横框）を縦枠部材（縦框）の上端に装着した状態を示す斜視図である。
【図２３】他の実施形態における外枠の組み立て方法を示すもので、上ヒンジ部材を外枠の左上に接合した状態を示す斜視図である。
【図２４】他の実施形態における外枠の組み立て方法を示すもので、上ヒンジ部材を外枠の左上に装着した状態を示す斜視図である。
【図２５】他の実施形態における外枠の下部の詳しい構造を示す分解斜視図である。
【図２６】他の実施形態における外枠の組み立て方法を示すもので、ブラケットおよび下横枠部材（横框）を縦枠部材（縦框）の下端に装着した状態を示す斜視図である。
【図２７】他の実施形態における外枠の組み立て方法を示すもので、幕板を下横枠部材（横框）の前面に装着した状態を示す斜視図である。
【図２８】他の実施形態における外枠の組み立て方法を示すもので、下ヒンジ部材を外枠の左下に接合した状態を示す斜視図である。
【図２９】他の実施形態における外枠の組み立て方法を示すもので、下ヒンジ部材を外枠の左下に装着した状態を示す斜視図である。
【発明を実施するための形態】
【００２１】
以下、図面を用いて本発明の実施形態について説明する。図１は本発明を適用した遊技機が取り付けられる遊技店の島設備の構成を示す正面図、図２は遊技機の外枠のみ取り付け、本体枠を取り外した状態の島設備の構成を示す斜視図である。
図１および図２に示すように、遊技機１００が取り付けられる島設備１０は、水平に配置され横方向に延設する膳板１１と、該膳板１１とほぼ同一高さで平行に配設され遊技機１００を載置するための下横固定部材としての下方取付板１２と、遊技機１００の上部を固定するため下方取付板１２と平行に配設された上横固定部材としての桟木１３と、桟木１３の上方に桟木１３の延設方向と同一の方向に沿って若干傾斜するように配設された補給樋１４と、上記膳板１１から下方へ垂下され膳板１１と平行に配設された腰板１５と、下方取付板１２の下方に下方取付板１２の延設方向と同一の方向に沿って上記補給樋１４とは逆向きに下り傾斜するように配設された回収樋１６と、島設備を支える脚部１７などを備える。
【００２２】
また、島設備１０の一端には、景品球を計数する計数機（ジェットカウンタ）を設置する設置台（ＪＣ台）２１と、該計数機へ投入された球および上記回収樋１６により各遊技機１００から回収された球を集め上方へ移送する揚送装置が内部に設置された筐体２２、揚送された球を貯留し上記補給樋１４へ分配する分配装置を内蔵した上タンク２３などが配置されている。
なお、上タンク２３には、隣の島設備との間で貯留する球の量の調整を行うバランス樋（図示省略）の端部を取り付ける樋接続部２３Ａ，２３Ｂが設けられている。このうち高い位置にある樋接続部２３Ａはバランス樋の上流端が接続され上タンク２３内の球を他の島設備へ流出させる球出口として機能し、低い位置にある樋接続部２３Ｂはバランス樋の下流端が接続され上タンク２３内へ他の島設備からの球を流入する球入口として機能する。
【００２３】
図２に示すように、遊技機１００の外枠１１０は、その下横枠部材１１１が上記下方取付板１２に設けられた突起１２ａにより位置ズレしないように係止され、上横枠部材１１２の後端が一対のコの字状の固定具１２０によって桟木１３にそれぞれ固定されている。従来は、桟木１３は木製のものが一般的であったが、本実施形態においては、固定具１２０による固定を強固なものにするため、桟木１３の少なくとも固定具１２０との取付部は金属材料で形成されている。
【００２４】
図３には遊技機１００の外枠１１０の構造および固定具１２０との関係が、また図４および図５には固定具１２０の詳しい構造が示されている。
図３に示すように、外枠１１０は、上横枠部材１１２と縦枠部材１１３の端部にＬ字状の補強金具１１４がネジ１１５によって止着され、補強金具１１４にて上横枠部材１１２と縦枠部材１１３とが接合されている。
図示しないが、外枠１１０の他の３つの角部にも同様な補強金具が設けられ、１枚の上横枠部材１１２と２枚の縦枠部材１１３および縦枠部材１１３と下横枠部材１１１とがそれぞれ接合され、全体として縦長の矩形枠状をなすように構成されている。なお、補強金具１１４の上面に上向きに設けられているピン１１６は、裏面上部に球貯留部としての球貯留タンクを有する遊技機の本体枠（前面枠もしくは内枠とも呼ばれる）を回動可能に支持する支持軸となるピンである。
【００２５】
そして、上横枠部材１１２には、後端側に該上横枠部材の長手方向に沿った切欠き部１１２ａが形成されている。本実施形態においては、この切欠き部１１２ａが従来の遊技機における切欠き部よりも長く形成されている。具体的には、後に詳しく説明するが、遊技機の内枠が外枠１１０に装着された際に該切欠き部１１２ａの近傍に配置されることとなる球貯留タンクの幅よりも長くなるように形成されている。また、該切欠き部１１２ａの一方の端部に、実質的な切欠き部の長さを調整するための後述の長さ調整機構が設けられる。
【００２６】
固定具１２０は、図４及び図５に示すように、金属製のコの字部材１２１と、コの字部材１２１の上水平片１２１ａに形成されたネジ穴に螺合された操作軸１２２と、該操作軸１２２の下端に回転可能に取り付けられたドーム状の固定皿１２３と、下水平片１２１ｂに植設された位置決めピン１２４とからなる。また、コの字部材１２１の垂直片１２１ｃには、該コの字部材１２１を図２に示すブラケット１２５と共に桟木１３の端面に固定するためのネジが挿通される２個の挿通孔１２１ｄが形成されている。一方、外枠１１０の上横枠部材１１２には、上記固定具１２０の位置決めピン１２４が挿入されるピン挿入穴１１２ｂが設けられている。
【００２７】
上記位置決めピン１２４をピン挿入穴１１２ｂに挿入した状態で、固定具１２０の固定皿１２３と外枠１１０の上横枠部材１１２との隙間に、桟木１３を介在させて操作軸１２２を回転操作して固定皿１２３を徐々に下げてやると、固定皿１２３と下水平片１２１ｂとの間に桟木１３と上横枠部材１１２とが強固に締め付けられて一体化されることで、外枠１１０が島設備に固定されるようになっている。
【００２８】
図６には、上述した切欠き部１１２ａの長さ調整機構の具体例が示されている。
長さ調整機構は、切欠き部１１２ａの一方の端部側（図６では右側）に、上横枠部材１１２の後端面の厚さ方向中央に奥へ向かってスリット状の案内溝１１２ｃが所定の長さで形成されている。この案内溝１１２ｃの横方向の長さは、想定される複数の球貯留タンクのうち右側面が後方から見て最も右側に位置するものと最も左側に位置するものとの差に近い長さに設定される。
また、案内溝１１２ｃの奥行き方向の深さは、切欠き部１１２ａの深さよりも若干大きく設定されている。さらに、案内溝１１２ｃの幅（高さ）は、上横枠部材１１２の強度をあまり低下させないように、上横枠部材１１２の厚みの３分の１以下となるように設定されている。そして、この案内溝１１２ｃには、該案内溝１１２ｃよりも僅かに小さな短冊状の球落下阻止部材１３０が前後方向にスライド可能に挿入されている。
【００２９】
また、上横枠部材１１２の、案内溝１１２ｃの中央よりやや左方へずれた位置には、球落下防止部材１３０を前後方向にのみ移動可能にするためのガイド孔１１２ｄが形成されているとともに、図６（Ａ）に示すように、球落下防止部材１３０にもその中央よりやや右方へずれた位置であって前記固定具１２０の位置決めピン１２４が挿入される前記ピン挿入穴１１２ｂに対応する位置に、球落下防止部材１３０を前後方向へ移動可能にするため球落下防止部材１３０の幅方向に長いガイド孔１３０ａが形成されている。
【００３０】
また、球落下防止部材１３０には、上記上横枠部材１１２のガイド孔１１２ｄの位置に対応してピン挿通孔１３０ｂが形成されており、図６（Ｂ）に示すように、上記ガイド孔１１２ｄおよびピン挿通孔１３０ｂを貫通可能な長さを有するピン１３１が移動可能に挿通され、その先端にナット１３２が螺着されるようになっている。一方、球落下防止部材１３０のガイド孔１３０ａおよび前記上横枠部材１１２のピン挿入穴１１２ｂには、前記固定具１２０の位置決めピン１２４が挿入されるようになっている。つまり、固定具１２０の位置決めピン１２４は、固定具１２０の位置決め機能と球落下防止部材１３０のガイド機能とを兼用するように構成されている。
【００３１】
上記のような構成を有することにより、球落下防止部材１３０は、ガイド孔１１２ｄおよびピン挿通孔１３０ｂに挿通されたピン１３１がガイド孔１１２ｄに沿って、またガイド孔１３０ａが固定具１２０の位置決めピン１２４と摺動することによって、横方向（左右方向）への移動が規制された状態で前後方向に移動可能にされるとともに、球落下防止部材１３０が案内溝１１２ｃから抜け落ちてしまわないように、抜け止め防止がなされている。
【００３２】
さらに、上記球落下防止部材１３０の左端で溝の出口側に位置する部位には、案内溝１１２ｃに挿入された状態の球落下防止部材１３０をドライバの先端等を引っ掛けて引き出しを容易にする突起１３０ｃが、また反対側の溝の出口側に位置する部位には、球落下防止部材１３０が案内溝１１２ｃから簡単に抜けないように係止するための切欠き１３０ｄが形成されている。この突起１３０ｃおよび切欠き１３０ｄの作用については、後に図７（Ｂ）を用いて説明する。
【００３３】
図７には、上横枠部材１１２の端面に形成されている前記案内溝１１２ｃの形状が示されている。このうち、（Ｂ）は（Ａ）におけるＢ−Ｂ線に沿った断面平面図を示す。また、図８には、上記球落下防止部材１３０の詳細な形状が示されている。なお、図６（Ａ）に示されているものと同一の部材や部品、部位には同一の符号を付して、重複した説明は省略する。
球落下防止部材１３０は、図８（Ｃ）に示すように、その厚さが左側すなわち上横枠部材１１２の中央側に向かうほど次第に薄くなるように形成されており、これに対応して案内溝１１２ｃは、図７（Ａ）に示すように、上壁が左側へ向かって下り傾斜するように形成されている。これにより、球落下防止部材１３０が案内溝１１２ｃ内に隙間なく、確実に収納される。また、上記球落下防止部材１３０は、上面が左側へ向かって下り傾斜するように形成されているため、案内溝１１２ｃから引き出された状態で上方より補給球が上面に落下した場合に、その球を球落下防止部材１３０の左方に配置されることとなる球貯留タンク内へ誘導できるようになる。
なお、図７（Ａ）には、外枠１１０の上横枠部材１１２と縦枠部材１１３との接合部の内側にも第２の補強金具１１７がネジ止めされている様子も示されている。
【００３４】
また、上記球落下防止部材１３０は、図８（Ａ），（Ｂ）に示すように、突起１３０ｃの奥側の端面が、突起１３０ｃと鈍角をなすように傾斜されたテーパ面１３０ｅが形成されており、このテーパ面１３０ｅに対応して、図７（Ｂ）に示すように、案内溝１１２ｃの端部（図の左側）も奥側へ向かうにつれて横方向の長さが短くなるような傾斜面１１２ｅが形成されている。これにより、球落下防止部材１３０を案内溝１１２ｃの奥へ向かって収納させる際に、テーパ面１３０ｅ，１１２ｅ同士が摺動して円滑に球落下防止部材１３０を移動させて収納させることができるようになる。
【００３５】
さらに、球落下防止部材１３０には、図８（Ａ），（Ｂ）に示すように、突起１３０ｃと反対側（図の右側）に切欠き１３０ｄが形成されており、案内溝１１２ｃの右端の入り口部分には、この球落下防止部材１３０の切欠き１３０ｄに対応して、図７（Ｂ）に示すように、切欠き１３０ｄと係合可能な突起１１２ｆが形成されている。この突起１１２ｅが、球落下防止部材１３０を案内溝１１２ｃ内へ完全に収納させた際に、切欠き１３０ｄと係合することでストッパとして機能し、球落下防止部材１３０が案内溝１１２ｃから簡単に抜けないように係止することができる。
【００３６】
図９および図１０には、上記のような構成を有する外枠１１０に遊技機の本体枠を取り付けた状態を、遊技機の裏面側より見た斜視図および平面図が示されている。このうち、図９（Ａ）および図１０（Ａ）は球落下防止部材１３０を案内溝内に収納させた状態を、図９（Ｂ）および図１０（Ｂ）は、球落下防止部材１３０を案内溝内より引き出した状態を示す。なお、図９においては、遊技盤およびその裏面に装着される制御基盤の図示を省略してある。
【００３７】
図９および図１０においては、遊技機裏面の球貯留タンク１４１として、その長さが比較的短く右側面の位置が中央寄りにあるタンクを有する遊技機が外枠１１０に取り付けられている。また、本実施形態の遊技機では、前述したように、外枠１１０の上横枠部材１１２の切欠き部１１２ａの幅が広く形成されている。そのため、図９（Ｂ）のように案内溝１１２ｃの左端が球貯留タンク１４１の右側の側面（図１０では左側の側面）の近傍に位置しており、図９（Ａ）や図１０（Ａ）に示すように、球貯留部としての球貯留タンク１４１の側面と遊技機裏面の外部端子台１４２との間に比較的広い隙間が生じている。
【００３８】
そこで、図９（Ｂ）や図１０（Ｂ）に示すように、球落下防止部材１３０を案内溝１１２ｃ内より引き出した状態に設定する。このようにしておくと、球貯留タンク１４１の上方の球補給装置より供給された球がタンクの底あるいはタンク内の球に衝突して飛び跳ね、球貯留タンク１４１の側面と遊技機裏面の外部端子台１４２との間の隙間へ向かったとしても球落下防止部材１３０によって、下方へ落下するのを防止して球貯留タンク１４１の方向へ誘導することができる。これにより、タンク内から飛び出した球が遊技機裏面の制御基盤等の電子機器に衝突して故障の原因となったり、球貯留タンク１４１の球を排出装置へ誘導する誘導樋１４３の途中に設けられている球押さえ１４４の上に乗っかって球の円滑な流れを阻害したりする等の不具合が発生するのを回避することができる。
【００３９】
図１１には、遊技機裏面の球貯留タンク１４１として、その長さが比較的長く左側の側面の位置が切欠き部１１２ａの端の固定具１２０の近傍に位置するタンクを有する遊技機を外枠１１０に取り付けた状態が示されている。このようなタンクを有する遊技機を外枠１１０に取り付ける場合には、球落下防止部材１３０が案内溝内に収納されたままとなるように設定される。なお、図示しないが、遊技機の中には、長さは短いが左側の側面が固定具１２０の近傍に位置する球貯留タンクを有するものもあり、そのような遊技機が取り付けられる場合も、球落下防止部材１３０が案内溝内に収納されたままとなるように設定することとなる。
【００４０】
以上の説明から、上記実施形態には、
遊技に供する球を貯留可能な球貯留部（球貯留タンク）を有する本体枠と、該本体枠を開閉可能に軸着するとともに略矩形状に形成される機枠（外枠）と、を備えた遊技機において、
前記本体枠の裏側には、前記球貯留部を配設すると共に、該球貯留部よりも下方に遊技を行うための電子機器を配設し、前記機枠の上横枠部材の一部には、前記球貯留部の配設位置に対応して前記本体枠を閉じる際における前記機枠と球補給機の部品との干渉を回避するための切欠き部を形成し、前記上横枠部材の裏側には、前記球貯留部と前記機枠の縦枠部材との間の空間に出没可能な球落下阻止部材を配設した発明が含まれることが分かる。
【００４１】
そして、上記発明によれば、遊技機の機枠の上横枠部材の一部には、球貯留部の配設位置に対応して本体枠を閉じる際における機枠と球補給機の部品との干渉を回避するための切欠き部を形成しているので、球貯留部の大きさが異なる本体枠が機枠に装着された場合にも対応することができ、球貯留部への球補給が確実に行えるとともに、上横枠部材の裏側には、球貯留部と機枠の縦枠部材との間の空間に出没可能な球落下阻止部材を配設しているので、比較的小さな球貯留部を有する本体枠や球貯留部の取付け位置が異なる本体枠が機枠に装着された場合にも、球落下阻止部材を引き出した状態に設定することで球貯留部へ入らずに横に跳ねた球が落下して本体枠の裏側に設けた電子機器等に衝突するのを防止することができる。
【００４２】
また、上記実施形態には、前記機枠の上横枠部材は、前記切欠き部の一方の端部に対応して裏側に前記球落下阻止部材に対応する形状の開口部を有する収納空間部としての案内溝を備え、前記球落下阻止部材は、前記開口部から前記収納空間部に出没可能に取り付けられるように構成されている発明が含まれている。
【００４３】
上記のような発明によれば、球落下阻止部材が収納空間部に没した状態では切欠き部が広くなって大きな球貯留部を有する遊技機を機枠に取り付けることができるとともに、球落下阻止部材が収納空間部に突出した状態では切欠き部が狭くなって小さな球貯留部を有する遊技機を機枠に取り付けた際に球貯留部と機枠の縦枠部材との間に生じる空間を狭くして球貯留部へ入らずに横に跳ねた球が落下して内枠に設けた電子機器等に衝突するのを防止することができる。
【００４４】
さらに、上記実施形態には、前記球落下阻止部材は、前記収納空間部から出現した状態で前記球貯留部側に向かって下り傾斜する傾斜部を有するように構成されている発明が含まれている。
そして、かかる発明によれば、球貯留部へ入らずに横に跳ねた球を球落下阻止部材の傾斜部によって球貯留部内へ流下させることができる。
【００４５】
さらに、上記実施形態には、前記機枠の上横枠部材には、位置決め手段を備え当該遊技機を設置する島設備に前記機枠を固定するための固定具が取り付け可能に構成され、前記球落下阻止部材には、前記固定具の取り付け位置に対応する部位に前記位置決め手段（位置決めピン）を挿通するための長穴状の挿通孔が形成され、該球落下阻止部材は、前記挿通孔に挿通された前記位置決め手段をガイドとしてスライド可能であるように構成されている発明が含まれている。
このような発明によれば、球落下阻止部材は長穴状の挿通孔を有し、該長穴状の挿通孔に挿通された固定具の位置決め手段をガイドとしてスライド可能な構成であるため、固定具の位置決め手段が、球落下阻止部材がスライドする際のガイド部材としても機能するため、位置決め手段とガイド部材を別々に設ける必要がなく、部品点数を減らすことができる。
【００４６】
図１２には、本発明を適用した遊技機の第２の実施形態を示す。このうち、図１２（Ａ）は外枠１１０に遊技機の本体枠を取り付けた状態を遊技機の裏面側より見た斜視図、図１２（Ｂ）は平面図である。
本実施形態は、島設備の桟木１３（図２参照）を木製とし、同じく木製で構成された外枠１１０の上横枠部材１１２を釘１５０で桟木に固定するようにした遊技機に適用して好適な実施形態である。従って、この実施形態においては、図３に示す第１の実施形態において外枠１１０を桟木に固定するために設けている固定具１２０は使用していない。そして、固定具１２０を使用しないため、固定具１２０の位置決めピン１２４の代わりに、上記固定用の釘１５０を利用して、球落下防止部材１３０の出し入れのための移動を可能にするようになっている。
【００４７】
なお、外枠１１０および球落下防止部材１３０は、第１の実施形態における外枠および球落下防止部材と同様の構成を有する。すなわち、外枠１１０の上横枠部材１１２の後端面には従来よりも広い切欠き部１１２ａが設けられているとともに、切欠き部１１２ａの一方（図１２Ｂでは右側）の端部近傍の上横枠部材１１２の後端面には高さ方向中央にスリット状の案内溝１１２ｃが所定の長さで形成されている。
【００４８】
また、上横枠部材１１２の、案内溝１１２ｃの中央よりやや左方へずれた位置には、球落下防止部材１３０を前後方向へ移動可能にするためのガイド孔１１２ｄが形成されているとともに、球落下防止部材１３０にもその中央よりやや右方へずれた位置であって前記固定用の釘１５０の固定位置には、球落下防止部材１３０を前後方向へ移動可能にするため球落下防止部材１３０の幅方向に長いガイド孔１３０ａが形成されている。さらに、球落下防止部材１３０には、上記上横枠部材１１２のガイド孔１１２ｄの位置に対応してピン挿通孔（図示省略）が形成されており、上記ガイド孔１１２ｄおよびピン挿通孔を貫通可能な長さを有するピン１３１が移動可能に挿通され、その先端にナット（図示省略）が螺着されるようになっている。
【００４９】
本実施形態においても、遊技機裏面の球貯留タンク１４１として、その長さが比較的短く右側面が上横枠部材１１２の中央寄りに位置しているタンクを有する遊技機が外枠１１０に取り付けられる場合、球落下防止部材１３０を案内溝１１２ｃ内より引き出した状態に設定する。このように設定しておくことにより、球貯留タンク１４１の上方の球補給装置より供給された球がタンクの底あるいはタンク内の球に衝突して飛び跳ね、球貯留タンク１４１の側面と遊技機裏面の外部端子台１４２との間の隙間へ向かったとしても球落下防止部材１３０によって、下方へ落下するのを防止して球貯留タンク１４１の方向へ誘導することができる。
【００５０】
これにより、タンク内から飛び出した球が遊技機裏面の制御基盤等の電子機器に衝突して故障の原因となったり、球貯留タンク１４１の球を排出装置へ誘導する誘導樋１４３の途中に設けられている球押さえ１４４の上に乗っかって球の円滑な流れを阻害したりする不具合が発生するのを抑制することができる。
さらに、球落下防止部材１３０が引き出された状態に設定されていると、球落下防止部材１３０の端部によって外部端子台１４２に接続される配線を後方すなわち遊技機の裏面から遠ざかる方向へ逃がすことができるため、配線が外部端子台１４２に絡まったりするのを防止する効果もある。しかも、本実施形態においては、固定具１２０を使用しないので、第１の実施形態に比べて球落下防止部材１３０の移動方向の長さを長くすることができ、それによってより広い範囲で球の落下を防止できるという利点がある。
【００５１】
以上の説明から、上記第２の実施形態には、
機枠として外枠の上横枠部材は球落下阻止部材を止着部材によって島設備の桟木に固定するための固定部を有し、前記球落下阻止部材には前記固定部と対応する部位に長穴状の挿通孔が形成され、該長穴状の挿通孔が前記止着部材をガイドとしてスライドするように構成した発明が含まれることが分かる。
そして、かかる発明によれば、球落下阻止部材には固定部と対応する部位に長穴状の挿通孔が形成され、該長穴状の挿通孔が止着部材をガイドとしてスライドする構成であるため、止着部材が、球落下阻止部材がスライドする際のガイド部材としても機能するので、止着部材とガイド部材を別々に設ける必要がなく、部品点数を減らすことができる。
【００５２】
次に、本発明の他の実施形態について説明する。
図１３には、他の実施形態における遊技機１００の機枠としての外枠１１０と、該外枠１１０の前面に開閉可能に取り付けられる前面枠（本体枠）１０１との関係が示されている。また、図１４〜図１６には外枠１１０の詳しい構造が示されている。
図１３に示すように、前面枠１０１は開口部１０２に臨むように遊技盤（図示省略）を保持するもので、外枠１１０に設けられた支持ピン１１６に係合可能な係合穴を有する支持片１０３を備え、支持ピン１１６に支持片１０３の係合穴を係合させることによって外枠１１０に対して開閉回動可能に組み付けられる。前面枠１０１には、遊技盤の前面を覆うカバーガラス（透明部材）を備えたガラス枠１０４が取り付けられている。
【００５３】
また、ガラス枠１０４の上部には、内部にランプ及びモータを内蔵した照明装置（ムービングライト）１０５や、音響を発するスピーカ（上スピーカ）１０６ａが設けられている。さらに、前面枠１０１の下部にもスピーカ（下スピーカ）１０６ｂが設けられている。また、前面枠１０１の下部には、図示しない打球発射装置に遊技球を供給するとともに遊技機の裏面側に設けられている球払出装置から払い出された遊技球が流出される上皿１０７、上皿１０７が一杯になった状態で払い出された遊技球を貯留する下皿１０８及び打球発射装置の操作部１０９等が設けられている。
【００５４】
以下、本発明に係る遊技機の要旨である外枠１１０について詳しく説明する。
第1実施形態における外枠１１０は、図１４〜図１６に示すように、それぞれ板状部材からなる横框としての下横枠部材１１１と上横枠部材１１２と左右一対の縦框としての縦枠部材１１３Ａ，１１３Ｂとを備え、前記上横枠部材１１２と縦枠部材１１３Ａ，１１３Ｂとは接続部材としての上ブラケット１１８Ａ，１１８Ｂによって、また下横枠部材１１１と縦枠部材１１３Ａ，１１３Ｂとは下ブラケット１１８Ｃ，１１８Ｄ（図１５）によってそれぞれ接続され、全体として縦長矩形枠状に形成されている。
そして、上記下横枠部材１１１の前面には、前面枠１０１を取り付けた際に下皿１０８の下方に生じる隙間を隠すための幕板１５１が装着されている。なお、ブラケット１１８Ａ〜１１８Ｄによる下横枠部材１１１および上横枠部材１１２と縦枠部材１１３Ａ，１１３Ｂとの具体的な接続構造については、後に図１７〜図２９を用いて詳しく説明する。
【００５５】
また、左側の縦枠部材１１３Ａの上部および下部には、前記前面枠１０１を回動可能に支持する支持ピン１１６を有する逆Ｌ字状の上ヒンジ部材１１４Ａおよび下ヒンジ部材１１４Ｂが、支持ピン１１６が外枠の前端面よりも若干前方に位置するようにネジによって止着されている。さらに、右側の縦枠部材１１３Ｂの上部および下部には、前面枠１０１が開かないように係止するためのフック部材１５２Ａおよび１５２Ｂがネジによって止着されている。
なお、上ヒンジ部材１１４Ａおよび下ヒンジ部材１１４Ｂは、金属材料で形成され、重量の重い前面枠１０１をしっかりと支持できるとともに、上ヒンジ部材１１４Ａは上横枠部材１１２と縦枠部材１１３Ａとが接合する角部を覆うように接合され、両方にネジ止めされることにより、上横枠部材１１２と縦枠部材１１３Ａとの接続を強固にする機能も有している。
【００５６】
本実施形態では、上記外枠１１０を構成する下横枠部材１１１、上横枠部材１１２および縦枠部材１１３Ａ，１１３Ｂのうち、下横枠部材１１１と上横枠部材１１２は木材を材料として形成される一方、縦枠部材１１３Ａ，１１３Ｂはステンレスあるいはアルミニウムなどの金属材料で形成されている。また、これらを接続するブラケット１１８Ａ〜１１８Ｄは合成樹脂で形成されている。下横枠部材１１１と上横枠部材１１２が木製であることにより、前述した島設備の下方取付板１２と桟木１３が木製である場合に、釘によって、下横枠部材１１１を下方取付板１２に、また、上横枠部材１１２を桟木１３に接合して遊技機の外枠１１０を島設備に固定することが可能となる。なお、縦枠部材１１３Ａ，１１３Ｂについても、木材を材料として形成するようにしてもよい。さらに、上横枠部材１１２には、球貯留タンクとの干渉を防止するため、後端側に該上横枠部材の長手方向に沿った切欠き部１１２ａが形成されている。
【００５７】
次に、ブラケット１１８Ａ，１１８Ｂによる上横枠部材１１２と縦枠部材１１３Ａ，１１３Ｂとの具体的な接合構造について、図１７〜図１９を用いて説明する。
縦枠部材１１３Ａは、図１７に示すように内側面に一対のスライド溝１１３ａ，１１３ｂが縦方向に形成され、上端中央には凹状の係合受部１１３ｃが、また上端から少し離れた位置に止着用のネジが挿通される一対のネジ挿通孔１１３ｄが形成されているとともに、強度を保ちつつ軽量化を図るため一側に沿って中空部１１３ｅが設けられている。
一方、ブラケット１１８Ａは、垂直片部の外側面に縦枠部材１１３Ａのスライド溝１１３ａ，１１３ｂと係合するスライドレール部１１８ａ，１１８ｂが形成されているとともに、水平片部の上面には断面が星形で柱状をなす嵌合部としてのダボ１１８ｃが、また先端部には止着用のネジが螺合される止着孔１１８ｄが形成されている。
【００５８】
また、ブラケット１１８Ａの垂直片部の上端中央には、Ｔ字形をなす係合突部１１８ｅが形成されており、スライドレール部１１８ａ，１１８ｂを縦枠部材１１３Ａのスライド溝１１３ａ，１１３ｂに係合させてブラケット１１８Ａを下方へ移動させたときに、係合突部１１８ｅが縦枠部材１１３Ａ上端の係合受部１１３ｃに係合することで位置決めがなされるとともに、ブラケット１１８Ａの水平片部の先端に押し下げる方向の力が作用した時に生じる曲げ応力に対する剛性を高める作用を奏する。ブラケット１１８Ａの垂直片部の下端部にも止着用のネジが螺合される止着孔１１８ｆが形成されている。なお、ブラケット１１８Ａは基本的に合成樹脂で形成されるが、ダボ１１８ｃや係合突部１１８ｅに関しては、これらを金属製インサート部材として形成してもよい。ブラケット１１８Ｂ〜１１８Ｄについても同様である。
【００５９】
上横枠部材１１２は、先端部に上記ブラケット１１８Ａの上面のダボ１１８ｃと嵌合可能な被嵌合部としてのダボ挿通孔１１２ｅが、またこのダボ挿通孔１１２ｅよりも先端部から離れた位置には止着用のネジが挿通可能な一対のネジ挿通孔１１２ｆが形成されている。さらに、上ヒンジ部材１１４Ａの水平片部の先端部にも止着用のネジが挿通可能な一対のネジ挿通孔１１４ａが形成されており、該ネジ挿通孔１１４ａおよび上横枠部材１１２のネジ挿通孔１１２ｆにネジ１１５ａを挿通して、ブラケット１１８Ａの水平片部の止着孔１１８ｄにネジの先端をねじ込むことによって、上横枠部材１１２とブラケット１１８Ａとを強固に接合できるようになっている。
【００６０】
また、上ヒンジ部材１１４Ａの垂直片部の下端部にも止着用のネジが挿通可能な一対のネジ挿通孔１１４ｂが形成されており、該ネジ挿通孔１１４ｂおよび縦枠部材１１３Ａのネジ挿通孔１１３ｄにネジ１１５ｂを挿通して、ブラケット１１８Ａの垂直片部下端の止着孔１１８ｆにネジの先端をねじ込むことによって、縦枠部材１１３Ａとブラケット１１８Ａとを強固に接合できるようになっている。なお、上ヒンジ部材１１４Ａの折曲部には前方へ突出する突出片１１４ｃが一体に設けられており、該突出片１１４ｃの上面に前面枠を回動可能に支持する支持ピン１１６が植設されることで、該支持ピン１１６が外枠の前端面よりも前方に位置するように構成されている。
【００６１】
上横枠部材１１２と右側の縦枠部材１１３Ｂとの接合は、ヒンジ部材を用いずに、ブラケット１１８Ｂとネジとによって行われるようになっている。ブラケット１１８Ｂは、基本的にはブラケット１１８Ａと左右対称な形状とされており、上横枠部材１１２との接合および縦枠部材１１３Ｂとの接合の仕方は、ブラケット１１８Ａと上横枠部材１１２および縦枠部材１１３Ｂとの接合の仕方と同じであるので、詳しい説明は省略する。
なお、ブラケット１１８Ｂにかかる荷重は、前面枠を支持する上ヒンジ部材１１４Ａが接合されるブラケット１１８Ａにかかる荷重に比べてかなり小さいので、本実施形態ではブラケット１１８Ｂの垂直片部の長さは、ブラケット１１８Ａの垂直片部の長さよりも短くされている。ただし、ブラケット１１８Ｂの垂直片部の長さを長く設定して、後述の左下のブラケット１１８Ｃと同一形状の部品として共用するように構成してもよい。
【００６２】
図１８および図１９には、ブラケット１１８Ａおよび１１８Ｂによって上横枠部材１１２と縦枠部材１１３Ａおよび１１３Ｂとを接合した外枠の状態を示す。このうち、図１８（Ａ）は図１８（Ｃ）におけるＡ−Ａ線に沿った断面図、図１８（Ｂ）は図１８（Ｃ）におけるＢ−Ｂ線に沿った断面図、図１９（Ａ）は図１９（Ｂ）におけるＣ−Ｃ線に沿った断面図をそれぞれ表している。
【００６３】
図１８（Ａ）に示されているように、ブラケット１１８Ａのスライドレール部１１８ａ，１１８ｂは、垂直片部の外側面に縦枠部材１１３Ａのスライド溝１１３ａ，１１３ｂと係合し、ブラケット１１８Ａに設けられているＴ字形の係合突部１１８ｅは、縦枠部材１１３Ａの係合受部１１３ｃに係合している。
【００６４】
また、図１８（Ｂ）に示されているように、上ヒンジ部材１１４Ａが、ブラケット１１８Ａが接合した縦枠部材１１３Ａの側面に接合され、一対のネジ１１５ｂが上ヒンジ部材１１４Ａおよび縦枠部材１１３Ａを貫通し、先端がブラケット１１８Ａに螺合されることによって３つの部材が一体に接合されている。
右側のブラケット１１８Ｂによる上横枠部材１１２と縦枠部材１１３Ｂとの接合も、ヒンジ部材がないだけで同様である。図１８（Ｂ）にネジ１１５ｂが表れていないのは、前述したように、ブラケット１１８Ｂの垂直片部の長さが、ブラケット１１８Ａの垂直片部の長さよりも短いためである。なお、１１４Ｂは前面枠を支持する下ヒンジ部材、１５１は幕板である。
【００６５】
さらに、図１９（Ａ）に示されているように、上ヒンジ部材１１４Ａが、ブラケット１１８Ａが接合した上横枠部材１１２の上面に接合され、一対のネジ１１５ａが上ヒンジ部材１１４Ａおよび上横枠部材１１２を貫通し、先端がブラケット１１８Ａに螺合されることによって３つの部材が一体に接合されている。ブラケット１１８Ｃによる下横枠部材１１１と縦枠部材１１３Ａ，１１３Ｂとの接合については、後に説明する。
【００６６】
図１９（Ａ）より、上ヒンジ部材１１４Ａおよび下ヒンジ部材１１４Ｂに設けられている支持ピン１１６が、縦枠部材１１３Ａの前端すなわち外枠１１３の前端よりも前方に位置するように上ヒンジ部材１１４Ａおよび下ヒンジ部材１１４Ｂが構成されていることが分かる。このように、支持ピン１１６が外枠１１３の前端よりも前方に位置することにより、比較的厚みのある前面枠を回動可能に支持することが可能となる。また、上ヒンジ部材１１４Ａと下ヒンジ部材１１４Ｂに設けられている支持ピン１１６は共に上向きに植設されている。これにより、比較的重量のある前面枠のピン穴を支持ピン１１６に容易に係合させることができる。
【００６７】
次に、ブラケット１１８Ａ，１１８Ｂによる上横枠部材１１２と縦枠部材１１３Ａ，１１３Ｂとの接合の方法について、図２０〜図２４を用いて説明する。
先ず、図２０に示すように、ブラケット１１８Ａおよび１１８Ｂのそれぞれに設けられているスライドレール部１１８ａ，１１８ｂを縦枠部材１１３Ａ，１１３Ｂのスライド溝１１３ａ，１１３ｂに係合させて、ブラケット１１８Ａ，１１８Ｂを下方へ移動させる。
【００６８】
続いて、図２１に示すように、ブラケット１１８Ａおよび１１８Ｂのそれぞれに設けられている柱状のダボ１１８ｃに、上横枠部材１１２のダボ挿通孔１１２ｅを係合させるようにして、上横枠部材１１２をブラケット１１８Ａ，１１８Ｂの上面に接合し、止着用のネジ１１５ｃを上横枠部材１１２の右側のネジ挿通孔１１２ｆに挿通し、ネジの先端をブラケット１１８Ｂの止着孔１１８ｄにねじ込む。また、止着用のネジ１１５ｄを縦枠部材１１３Ｂの右方向から挿入し、ブラケット１１８Ｂの側面の止着孔にねじ込む。
【００６９】
その後、図２２に示すように、上横枠部材１１２と縦枠部材１１３Ａとの接合角部の外側に上ヒンジ部材１１４Ａを接合させ、左側方から止着用のネジ１１５ｂを上ヒンジ部材１１４Ａのネジ挿通孔１１４ｂおよび縦枠部材１１３Ａのネジ挿通孔１１３ｄに挿通し、ネジの先端をブラケット１１８Ａの止着孔１１８ｆにねじ込む。
また、図２３に示すように、上方から止着用のネジ１１５ａを上ヒンジ部材１１４Ａのネジ挿通孔１１４ａおよび上横枠部材１１２の左側のネジ挿通孔１１２ｆに挿通し、ネジの先端をブラケット１１８Ａの止着孔１１８ｄにねじ込む。以上の作業によって、図２４に示すように、ブラケット１１８Ａ，１１８Ｂと上ヒンジ部材１１４Ａとにより上横枠部材１１２と縦枠部材１１３Ａ，１１３Ｂとが接合された状態となる。
【００７０】
次に、ブラケット１１８Ｃ，１１８Ｄによる下横枠部材１１１と縦枠部材１１３Ａ，１１３Ｂとの接合の方法について、図２５〜図２９を用いて説明する。
先ず、図２５に示すように、ブラケット１１８Ｃおよび１１８Ｄを、それぞれに設けられているスライドレール部１１８ａ，１１８ｂを縦枠部材１１３Ａ，１１３Ｂのスライド溝１１３ａ，１１３ｂに係合させて、ブラケット１１８Ａ，１１８Ｂを上方へ移動させる。これにより、ブラケット１１８Ｃおよび１１８Ｄが縦枠部材１１３Ａ，１１３Ｂの下端に装着される。
【００７１】
続いて、ブラケット１１８Ｃおよび１１８Ｄにそれぞれ設けられているダボ１１８ｃに、下横枠部材１１１のダボ挿通孔１１１ｅを係合させるようにして、下横枠部材１１１をブラケット１１８Ｃ，１１８Ｄの下面に接合し、止着用のネジ１１５ｆを下横枠部材１１１の左側のネジ挿通孔１１１ｆに挿通し、ネジの先端をブラケット１１８Ｃの止着孔１１８ｄにねじ込む。また、止着用のネジ１１５ｇを下横枠部材１１１の右側のネジ挿通孔１１１ｆに挿通し、ネジの先端をブラケット１１８Ｄの止着孔１１８ｄにねじ込む。これにより、図１６に示すように、下横枠部材１１１がブラケット１１８Ｃ，１１８Ｄを介して縦枠部材１１３Ａ，１１３Ｂと接合される。
【００７２】
その後、下横枠部材１１１の前端に幕板１５１を接合し、下方より止着用のネジ１１５ｅを下横枠部材１１１に設けられているネジ挿通孔１１１ｇに挿通し、幕板１５１の下面にねじ込む。これにより、図２７に示すように、下横枠部材１１１の前端に幕板１５１が取り付けられる。続いて、図２８に示すように、縦枠部材１１３Ａの下部側面に下ヒンジ部材１１４Ｂの垂直片を接合させる。そして、左側方から止着用のネジ１１５ｈを下ヒンジ部材１１４Ｂのネジ挿通孔１１４ｃおよび縦枠部材１１３Ａの下端部のネジ挿通孔１１３ｆに挿通し、ネジの先端をブラケット１１８Ｃの止着孔１１８ｅにねじ込む。
【００７３】
さらに、左側方から止着用のネジ１１５ｉを下ヒンジ部材１１４Ｂのネジ挿通孔１１４ｄに挿通し、先端を幕板１５１の止着孔１５１ａにねじ込む。これによって、図２９に示すように、下ヒンジ部材１１４Ｂが縦枠部材１１３Ａおよび幕板１５１に接合された状態となる。また、右側の縦枠部材１１３Ｂについても、止着用のネジ１１５ｊを下端部のネジ挿通孔１１３ｇに挿通し先端をブラケット１１８Ｄの止着孔１１８ｅにねじ込む。さらに、右側方から止着用のネジ１１５ｋを縦枠部材１１３Ｂのネジ挿通孔１１３ｈに挿通し、先端を幕板１５１の止着孔（図示省略）にねじ込む。これによって、幕板１５１が縦枠部材１１３Ｂに対しても固定される。
【００７４】
なお、幕板１５１を止着用のネジ１１５ｉで下ヒンジ部材１１４Ｂに固定する代わりに、下ヒンジ部材１１４Ｂと縦枠部材１１３Ａを接合する止着用のネジ１１５ｈで幕板１５１を同時に固定するように構成してもよい。
また、止着用のネジ１１５ｉおよび１１５ｋは、外枠１１０の外側からではなく、内側から縦枠部材１１３Ａと１１３Ｂに設けたネジ挿通孔に挿通して幕板１５１にねじ込むことで取り付けるように構成してもよい。これにより、幕板１５１を交換可能に構成した場合に、前面枠が閉じた状態でネジ１１５ｅや１１５ｉおよび１１５ｋを緩めて幕板１５１を外して遊技機裏面の制御装置や電子部品に対する不正が行われるのを防止することができる。幕板１５１が損傷したり劣化したりして交換をしたい場合には、前面枠を開いて内側のネジを外すことで交換可能となる。幕板１５１の下側を下横枠部材１１１に固定するネジ１１５ｅも同様に、外枠１１０の内側から取り付け可能に構成してもよい。
【００７５】
以上本発明者によってなされた発明を実施形態に基づき具体的に説明したが、今回開示した実施形態は、全ての点で例示であって制限的なものではない。例えば、前記実施形態では、外枠（機枠）１１０の上横枠部材１１２と球落下防止部材１３０にそれぞれ球落下防止部材がスライドする際のガイドとなる長穴状の挿通孔（１１２ｄ，１３０ａ）を設けたが、球落下防止部材１３０にガイドとなる長穴状の挿通孔を２つ設けるようにしてもよい。
【００７６】
また、前記実施形態においては、球落下防止部材１３０に該球落下防止部材がスライドする際のガイドとなる長穴状の挿通孔（１３０ａ）を設けるとしたが、挿通孔ではなく溝であってもよい。さらに、前記実施形態の球落下防止部材１３０の後端縁に沿ってリブを形成して、球落下防止部材１３０上に乗った球がリブによって後方へ流下しないように阻止する機能を有するように構成しても良い。
【符号の説明】
【００７７】
１０  島設備
１３  桟木
１００  遊技機
１１０  外枠（機枠）
１１１  下横枠部材
１１２  上横枠部材
１１２ａ  切欠き部
１１２ｂ  ピン挿入穴
１１２ｃ  案内溝（収納空間部）
１１２ｄ  ガイド孔
１１４  補強金具
１２０  固定具
１２４  位置決めピン
１３０  球落下防止部材（球落下阻止部材）
１３０ａ  ガイド孔（長穴状挿通孔）
１４１  球貯留タンク（球貯留部）
１４２  外部端子台
【図１】
0005190123.tif 000002
【図２】
0005190123.tif 000003
【図３】
0005190123.tif 000004
【図４】
0005190123.tif 000005
【図５】
0005190123.tif 000006
【図６】
0005190123.tif 000007
【図７】
0005190123.tif 000008
【図８】
0005190123.tif 000009
【図９】
0005190123.tif 000010
【図１０】
0005190123.tif 000011
【図１１】
0005190123.tif 000012
【図１２】
0005190123.tif 000013
【図１３】
0005190123.tif 000014
【図１４】
0005190123.tif 000015
【図１５】
0005190123.tif 000016
【図１６】
0005190123.tif 000017
【図１７】
0005190123.tif 000018
【図１８】
0005190123.tif 000019
【図１９】
0005190123.tif 000020
【図２０】
0005190123.tif 000021
【図２１】
0005190123.tif 000022
【図２２】
0005190123.tif 000023
【図２３】
0005190123.tif 000024
【図２４】
0005190123.tif 000025
【図２５】
0005190123.tif 000026
【図２６】
0005190123.tif 000027
【図２７】
0005190123.tif 000028
【図２８】
0005190123.tif 000029
【図２９】
0005190123.tif 000030